【手続補正書】
【提出日】平成22年12月13日(2010.12.13)
【手続補正１】
【補正対象書類名】明細書
【補正対象項目名】００１２
【補正方法】変更
【補正の内容】
【００１２】
【図１】デジタル・メディア・フレーム（「ＤＭＦ」）と外部入力装置の間の接続を示す図である。
【図２】ＤＭＦの一実施形態のブロック図である。
【図３】ＤＭＦの別の実施形態のブロック図である。
【図４】表示装置、演算処理装置およびユーザ入力装置を有するＤＭＦの一実施形態の外観図である。
【図５】ＤＭＦの一実施形態でのデータ・フローを示すフローチャートである。
【図６】ＤＭＦのデータ制御の一実施形態を示すフローチャートである。
【図７】ＤＭＦを含むネットワーク構成の一実施形態を示す図である。
【図８】ＤＭＦのアーキテクチャの一実施形態を示す図である。
【図９】画像を表示する複数の形態のうちの一実施形態を示すフローチャートである。
【図１０】ＤＭＦネットワーク・サービスにアクセスする複数の機構の一実施形態を示す図である。
【図１１】様々な装置からデータを受け取る一実施形態を示すフローチャートである。
【図１２】ＤＭＦの様々な形態のうちの一実施形態を示すフローチャートである。
【図１３】画像データを実施するためのＤＭＦウィンドウの一実施形態を示すフローチャートである。
【図１４】部屋の共有壁上に配置された複数のＤＭＦの斜視図である。
【図１５】部屋の共有壁上に配置された複数のＤＭＦの上面図である。
【図１６】２つのＤＭＦが共有壁上にあり１つのＤＭＦが壁から離れて位置決めされた状態で配置された複数のＤＭＦの斜視図である。
【図１７】２つのＤＭＦが共有壁上にあり１つのＤＭＦが壁から離れて位置決めされた状態で配置された複数のＤＭＦの上面図である。
【図１８】提示スペースを提供するための部屋内のＤＭＦの１つの分布の斜視図である。
【図１９Ａ】ＤＭＦアレイの前面斜視図である。
【図１９Ｂ】ＤＭＦアレイの後面斜視図である。
【図１９Ｃ】リモート・データ信号インタフェースを有するアレイ対話システムの別の実施形態を示す図である。
【図１９Ｄ】リモート・データ信号インタフェースを有するアレイ対話システムの別の実施形態を示す図である。
【図２０】ＤＭＦアレイの支柱取り付け実施形態の正面図である。
【図２１】ＤＭＦアレイの電力ケーブル取り付け実施形態の正面図である。
【図２２】アレイを構成するモジュール式連結ＤＭＦの斜視図である。
【図２３】ＤＦＭの構成を有する部屋の斜視図である。
【図２４】図２３の構成の下面図である。
【図２５】デジタル画像を提示するシステム内で複数のＤＭＦを動作させる方法の第１の実施形態を示す図である。
【図２６】デジタル画像をアレンジする処理を説明するフローチャートである。
【手続補正２】
【補正対象書類名】明細書
【補正対象項目名】００１８
【補正方法】変更
【補正の内容】
【００１８】
インタフェース・ユニット１０４にカメラ１１０を接続することができる。カメラ１１０は、取得した画像をデジタル形式で提供するデジタル・スチル・カメラまたはデジタル・ビデオ・カメラでよい。カメラ１１０は、また、ＤＭＦ１０２のインタフェース・ユニット１０４や他の部分によってデジタル画像に変換することができるアナログ画像信号を提供するアナログ・ビデオ・カメラでもよい。一実施形態では、カメラ１１０は、たとえば、無線、ケーブルまたは取り外し可能媒体等の従来の伝送媒体を使用して、取得画像をＤＭＦに直接転送することができる。別の実施形態では、カメラ１１０は、最初に取得画像をコンピュータ１１２に転送することができ、コンピュータ１１２は、次に、デジタル画像をＤＭＦ１０２に転送する。カメラ１１０とＤＭＦ１０２間の転送機構としてコンピュータ１１２を使用する利点は、幾つかのタイプのデータ変換を含むＤＭＦ１０２が実行するのに特に適さない幾つかの機能を実行することである。
【手続補正３】
【補正対象書類名】明細書
【補正対象項目名】００２３
【補正方法】変更
【補正の内容】
【００２３】
インタフェース回路２０４は、デジタル・メディア・フレーム１０２が外部装置２０２から入力データを受け取ることを可能にし、また外部装置２０２にデータを送るために必要に応じて使用されてもよい。外部装置２０２は、デジタル・スチル・カメラ、デジタル・ビデオ・カメラ、スキャナ、コンピュータ、ローカル・サーバ、リモート・サーバ、メモリ装置、インターネット、プリンタ、インターネット・アプライアンス、遠隔制御装置（後で詳しく説明されるような）、携帯情報端末、個人用ビデオ・プレーヤ、電話、通信ネットワーク、携帯電話、アナログ・テレビ、デジタル・テレビ、ケーブル、衛星もしくは他のテレビジョン・システム等のテレビ信号分配システム、ソリッド・ステート式、光学式、磁気式テレビジョン信号記録および／または再生システム等のテレビジョン・システムのレコーダまたはプレーヤ等のテレビジョン記憶システムを含むが、これらに限定されない。後でより詳しく述べるように、インタフェース・ユニット２０４は、他のＤＭＦおよび／または遠隔制御装置を含む１つまたは複数の他のタイプの外部装置と通信するように適応されてもよい。
【手続補正４】
【補正対象書類名】明細書
【補正対象項目名】００３０
【補正方法】変更
【補正の内容】
【００３０】
一実施形態では、補助情報は、また、メタデータで提供されるかまたは受け取った視覚的コンテンツ・データ・ファイルと他の方法で関連付けられた音声情報と、ＤＭＦ１０２による視覚的コンテンツ・データ・ファイルの受け取り後に作成されるか視覚的コンテンツ・データ・ファイルと関連付けられた音声情報の両方の編集バージョンを含む音声情報からなることができる。そのような音声情報は、メモリ２０８または他の場所に記憶することができる。どこか他の場所に記憶された場合、音声情報を得ることができるロケーションを示すロケーション情報がデジタル画像と共に記憶される。必要に応じて、ＤＭＦ１０２は、そのような音声情報に基づいて音響信号を生成するように適応されることができかつ／または音響信号を受け取りそのような音響信号を記憶可能なデジタル音声信号に変換することができる音声回路１１８を内蔵することができる。
【手続補正５】
【補正対象書類名】明細書
【補正対象項目名】００７６
【補正方法】変更
【補正の内容】
【００７６】
一実施形態では、ＤＭＦは、画像モードと情報モードを有する。ＤＭＦの画像モードは、一連の所定の写真を表示し、ＤＭＦの情報モードは、ニュース、財務データ、広告等の１組の情報またはデータを表示する。ＤＭＦが画面の一部分を画像表示に割り当てる一方で画面の別の部分を情報表示に割り当てる、画像と情報を組み合わせた第３のモードが構成されてもよい。他のタイプの表示モードがあってもよいが、そのような表示モードは本発明を理解するのに重要ではないことに注意されたい。
【手続補正６】
【補正対象書類名】特許請求の範囲
【補正対象項目名】全文
【補正方法】変更
【補正の内容】
【特許請求の範囲】
【請求項１】
デジタル・メディア・フレーム・アレイであって、
少なくとも１つのデジタル・メディア・フレームを支持するようにそれぞれ適応された複数のデジタル・メディア・フレーム支持体であって、前記デジタル・メディア・フレームは、外部装置と通信しかつそのような通信に基づいてデジタル・データをプロセッサに提供するように適応されたデジタル・メディア・フレーム・インタフェースを有し、前記プロセッサは、少なくとも、提供された前記デジタル・データ内の任意のデジタル画像をデジタル表示装置上に提示させるように動作可能であるデジタル・メディア・フレームと、
前記複数のデジタル・メディア・フレームの少なくとも二次元配列を定義するために前記複数のフレーム支持体を位置決めするアレイ構造と、
前記デジタル・メディア・フレームに前記デジタル・メディア・フレーム・インタフェースを使用して前記デジタル・メディア・フレームのうちの１つと通信するように適応されたアレイ・インタフェースと、
環境刺激を受け取るかまたは生成するように適応された少なくとも１つの形のユーザ・インタフェース装置を有するアレイ対話システムと、
前記アレイ・インタフェースを前記デジタル・メディア・フレームのうちの１つと通信させるように適応されたアレイ・コントローラとを備え、それにより、前記アレイ・コントローラは、前記デジタル・メディア・フレームおよび前記アレイ対話システムのために前記プロセッサと協力して、前記デジタル・メディア・フレームが、前記デジタル・メディア・フレーム・アレイによって支持されたときに、前記デジタル・メディア・フレーム・アレイが、前記デジタル・メディア・フレームが支持できないとできない方法でその環境と対話することができるデジタル・メディア・フレーム・アレイ。
【請求項２】
前記アレイ対話システムは、リモート装置と通信するように適応されたリモート・データ信号インタフェース・システムを含み、前記アレイ・コントローラは、前記遠隔制御装置から受け取った信号に基づいて前記アレイ・インタフェースが信号を前記プロセッサに送るようにする、請求項１に記載のデジタル・メディア・フレーム・アレイ。
【請求項３】
前記アレイ対話システムは、前記アレイに対する人の存在を検出するように適応された存在センサを含み、前記アレイ・コントローラは、前記プロセッサが画像提示を保留するかどうかを判定することができる信号を、前記アレイ・インタフェースが前記プロセッサに送るようにする、請求項１に記載のデジタル・メディア・フレーム・アレイ。
【請求項４】
前記アレイ対話システムは、前記アレイ・コントローラによって提供されたデジタル音声データに基づいて音声信号を生成するように適応された音声システムを含み、前記アレイ・コントローラは、前記プロセッサと協力して前記デジタル音声データを取得する、請求項１に記載のデジタル・メディア・フレーム・アレイ。
【請求項５】
デジタル画像を使用する第１組の少なくとも１つの機能を少なくとも実行するように適応されたフレームを有する複数のデジタル・メディア・フレームを制御する方法であって、前記１組が表示装置上にデジタル画像を提示するステップを含み、
前記デジタル・メディア・フレームを複数の支持体上に支持するステップと、
前記支持されたデジタル・メディア・フレームのうちの選択された１つのデジタル・メディア・フレームによって交換データへの通信リンクを確立する段階と、
前記選択されたデジタル・メディア・フレームが交換されたデータを使用して実行するように適応されない少なくとも１つの機能と、前記選択されたデジタル・メディア・フレームの外部の少なくとも１つのシステムとを実行する段階とを含み、
前記少なくとも１つの機能が、環境的対話機能である方法。